(57)【要約】【課題】  室内に侵入した虫を簡単に捕り、かつ、人体に無害な捕虫具を提供する。【解決手段】  柄を有する固定フレーム片と、該固定フレーム片に可動機構を介して取り付けられた可動フレーム片と、前記固定フレーム片と可動フレーム片により形成される開口フレームに網袋の開口部を取り付けた構成よりなり、柄を振る事により遠心力で可動フレーム片が閉じるものであることを特徴とする。【選択図】図１
2007222141.tif 000002
【特許請求の範囲】
【請求項１】
柄を有する固定フレーム片と、該固定フレーム片に可動機構を介して取り付けられた可動フレーム片と、前記固定フレーム片と可動フレーム片により形成される開口フレームに網袋の開口部を取り付けた構成よりなり、柄を振る事により遠心力で可動フレーム片が閉じるものであることを特徴とする捕虫具。
【請求項２】
可動フレーム片に、重し部を設けたことを特徴とする請求項１記載の捕虫具。
【発明の詳細な説明】
【技術分野】
【０００１】  本発明は、室内に侵入した蚊、蛾、蝿等の虫を捕る捕虫具に関する物である。
【背景技術】
【０００２】  従来、網戸をしていても一寸した隙に、蚊、蛾、蝿など室内に侵入する虫は多かった。その為、虫を駆除する薬剤や粘着材が有った。また、虫捕り網として、網袋の開口部に開口状態を維持するフレームと柄よりなるものが有った。
【発明の開示】
【発明が解決しようとする課題】
【０００３】  虫が室内に侵入してきた時、防虫スプレーや蚊取り線香などで対応するが、これらは虫だけでなく人体への影響も懸念され頻繁に使用しにくかった。粘着剤を利用したものは、虫が止まるのを待つというもので素早い対応が出来なかった。従来の虫捕り網は開口部から逃げる恐れがあった。
本発明は以上の欠点を解決する為になされたものである。
【課題を解決するための手段】
【０００４】  柄を有する固定フレーム片と、該固定フレーム片に可動機構を介して取り付けられた可動フレーム片と、前記固定フレーム片と可動フレーム片により形成される開口フレームに網袋の開口部を取り付けた構成よりなり、柄を振ることにより遠心力でフレームが閉じるものであることを特徴とする捕虫具。【０００５】  可動フレーム片に、重し部を設けたことを特徴とする上記載の捕虫具。
本発明は、以上の構成よりなる捕虫具である。
【発明の効果】
【０００６】  室内に侵入して飛空する虫を瞬時に捕える事が出来、防虫スプレーや香取線香のような薬剤を使用しなくて済むので人体への影響も心配せず、経済的である。
可動フレーム片に重し部を設けることにより、可動フレーム片がさらに素早くしっかりと閉じて、虫が逃げるのを防ぐことが出来る。
【発明を実施するための最良の形態】
【０００７】  以下、本発明の第１の実施の形態について説明する。
本発明は、柄（１）を有する固定フレーム片（２）と、可動機構を介して設けられた可動フレーム片（３）と網袋（４）とにより構成される。
柄（１）の長さは、手首にスナップを利かせやすくする為と、室内用であること、素早い対応ができるよう短めにし、握りやすいようにする。
網袋（４）の網目は、蚊が通過できない程の細かい網目となっている。
固定フレーム片（２）と可動フレーム片（３）により開口フレームが形成される。固定フレーム片（２）と可動フレーム片（３）との繋ぎの部分である可動機構は、切り込み（５）を入れただけの簡易な構造となっている。
図３に示すように、フレームの肉厚幅の片側に、切り込み（５）を入れることによって、可動フレーム片（３）が図３ａに示すように、前方に倒れ、又、元に戻すことによって、図３ｂに示すように、肉厚幅がストッパーの役目を果たし、それ以上後方に倒れないようになっている。
網袋（４）は、左右の可動機構にあたる位置において、可動を妨げない範囲で開放されている。可動機構の辺りが開放されていても、捕えられた虫は、遠心力により網袋（４）の底部に押しやられている事と、フレームが閉じた状態では網袋（４）の開放部も塞がっている状態なので、虫が逃げることもない。
本発明は以上の構成で、これを使用する時は、柄（１）を持ち、室内に侵入して飛空している虫を捕える瞬間に、手首にスナップを利かせ、可動フレーム片（３）がその反動の遠心力で固定フレーム片（２）に被さり、開口部が閉じて虫を捕ることが出来る様にした。
そして、網袋（４）を振り戻せば開口部が自動的に開いて再び捕虫出来るのである。【０００８】    以下、本発明の第２の実施の形態について説明する。
図４に示すように、可動機構に支軸（６）を設けた構造にし、網袋（４）にギャザー（７）を寄せて取り付けることにより、ゆとりを持たせて、可動フレーム片（３）が動き易いようになっている。
本事例において、固定フレーム片（２）と可動フレーム片（３）は軸止されており、可動フレーム片（３）には網袋（４）側で延設され、後方への倒れこみを防止するストッパー片（８）が設けられている。
可動フレーム片（３）の中央上部に、磁石（９ａ）が設けられている。又、可動フレーム片（３）の折りたたみ時、これに対応する位置の固定フレーム片（２）にも磁石（９ｂ）が設けられている。そして、磁石（９ａ）は重しの役目を果たし、その重力と遠心力によりさらに、素早く可動フレーム片（３）が閉じて、磁石により閉じた状態を維持するので虫をしっかり捕えて逃がさないのである。
図４の拡大図に示すように、柄（１）を従来利用される伸縮構造を有した、伸縮自在棒（１０）にして、近くにいる虫だけでなく、遠くや高い位置にいる虫を捕えることが出来るようになっている。【０００９】  以下、本発明のケース（１１）について説明する。
図６に示すように、捕虫具の開口フレームをケース（１１）に納める事により団扇としても使用できるようにした。
ケース（１１）の上半部の開け口は、上部から本発明の捕虫具を差込み、開口フレームを収納させることが出来る大きさとなっている。又、ケース（１１）の開け口上部に、面ファスナー（１２）を設けて、開閉することにより捕虫具を出し入れ出来るようにした。ケース（１１）の下部は柄（１）は出るが開口フレームは抜けない程度に開放した。
これにより、ケース（１１）に入れれば、団扇として使用でき、取り出せば、捕虫具として使用出来るのである。
以上、本発明の使用目的に沿うものであれば、構造や色、形、材質、大きさ等は何でも良く、従来一般の捕虫具にも応用できる。
【図面の簡単な説明】
【０００１０】
【図１】  本発明の斜視図
【図２】  本発明の使用状態を示す図
【図３】  本発明の可動機構を示す要部拡大図
【図４】  本発明の他の実施例を示す図
【図５】  本発明の可動機構を示す要部拡大図
【図６】  本発明の他の実施例を示す分解図
【図７】  本発明の他の実施例を示す正面図
【符号の説明】
【０００１１】    １  柄
２  固定フレーム片
３  可動フレーム片
４  網袋
５  切り込み
６  支軸
７  ギャザー
８  ストッパー片
９；９ａ；９ｂ  磁石
１０  伸縮自在棒
１１  ケース
１２；１２ａ；１２ｂ  面ファスナー
【図１】
2007222141.tif 000003
【図２】
2007222141.tif 000004
【図３】
2007222141.tif 000005
【図４】
2007222141.tif 000006
【図５】
2007222141.tif 000007
【図６】
2007222141.tif 000008
【図７】
2007222141.tif 000009